(57)【要約】      （修正有）【課題】  カラーＤＴＰシステムにおける色域圧縮装置等の技術分野に関し、各デバイスの色域の違いを考慮してより自然な色再現ができるようにした色域圧縮装置等に関する。【解決手段】  第１のデバイスの色域が、目標とする第２のデバイスの色域よりも小さい場合に、前記第２のデバイスの色域を圧縮する色域圧縮装置であって、第１のデバイスに係る色度信号を示す複数の第１の色度信号データと、第２のデバイスに係る色度信号を示す複数の第２の色度信号データとを取得する手段と、第１の色域データで示される色域外に存在する最外郭色度信号データを、第１の色域データで示される色域内に収まるよう変換する手段と、色度信号データ取得手段によって取得された第１の色度信号データと、除去手段による除去後の残りの第２の色度信号データと、変換された最外郭色度信号データと、に基づいて高彩度領域を補間する手段とを有する。【選択図】  図１
2006191497.tif 000002
【特許請求の範囲】
【請求項１】
第１のデバイスの色域が、目標とする第２のデバイスの色域よりも小さい場合に、前記第２のデバイスの色域を圧縮する色域圧縮装置であって、
前記第１のデバイスに係る色度信号を示す複数の第１の色度信号データと、前記第２のデバイスに係る色度信号を示す複数の第２の色度信号データと、を取得する色度信号データ取得手段と、
前記第１の色度信号データに基づいて第１のデバイスの色域を示す第１の色域データを取得し、前記第２の色度信号データに基づいて第２のデバイスの色域を示す第２の色域データを取得する色域データ取得手段と、
前記第２の色度信号データのうち、前記第１の色域データによって示される前記第１のデバイスの色域内に存在する第２の色度信号データを含む高彩度領域に属する第２の色度信号データであって、前記第２の色域データで示される色域の最外郭に属する最外郭色度信号データを除く他の前記第２の色度信号データを除去する除去手段と、
前記第１の色域データで示される色域外に存在する前記最外郭色度信号データを、当該第１の色域データで示される色域内に収まるよう変換する変換手段と、
前記色度信号データ取得手段によって取得された第１の色度信号データと、前記除去手段による除去後の残りの前記第２の色度信号データと、前記変換手段によって変換された前記最外郭色度信号データと、に基づいて、前記高彩度領域を補間する補間手段と、
を有することを特徴とする色域圧縮装置。
【請求項２】
第１の印刷装置の色域が、目標とする第２の印刷装置の色域よりも小さい場合に、前記第２の印刷装置の色域を圧縮する色域圧縮装置であって、
前記第１の印刷装置及び前記第２の印刷装置によって印刷された色域圧縮用カラーチャートであって、前記第２の印刷装置の色域を示す第２の色域データで示される色域の最外郭に属する最外郭色度信号データ以外の高彩度領域のカラーデータが存在しない前記色域圧縮用カラーチャートを測色して、前記第１の印刷装置及び前記第２の印刷装置に係る複数の色彩信号をそれぞれ取得し、当該それぞれの色彩信号に基づいて第２の色度信号データ及び第１の色度信号データを取得する色度信号データ取得手段と、
前記第１の色度信号データに基づいて第１の印刷装置の色域を示す第１の色域データを取得し、前記第２の色度信号データに基づいて第２の印刷装置の色域を示す第２の色域データを取得する色域データ取得手段と、
前記取得された第２の色度信号データのうち、前記取得された第１の色域データで示される色域外に存在する前記第２の色域データで示される色域の最外郭に属する最外郭色度信号データを当該第１の色域データで示される色域内に収まるよう変換する変換手段と、
前記色度信号データ取得手段によって取得された第１の色度信号データ及び第２の色度信号データと、前記変換手段によって変換された前記最外郭色度信号データと、に基づいて、前記高彩度領域を補間する補間手段と、
を有することを特徴とする色域圧縮装置。
【請求項３】
請求項１又は請求項２に記載の色域圧縮装置において、
前記変換手段は、前記最外郭色度信号データの特定の色成分に重み付けをして、変換前と変換後の前記最外郭色度信号データの色差が最小となるよう変換することを特徴とする色域圧縮装置。
【請求項４】
請求項３に記載の色域圧縮装置において、
前記特定の色成分は、色相、又は明度、又は彩度の何れかであることを特徴とする色域圧縮装置。
【請求項５】
請求項１乃至請求項４の何れか一項に記載の色域圧縮装置において、
前記補間手段は、線形補間若しくは非線形補間によるものであることを特徴とする色域圧縮装置。
【請求項６】
請求項１乃至請求項５の何れか一項に記載の色域圧縮装置において、
前記高彩度領域は、前記第１の色域データに係る各明度において再現可能な最大彩度の８０％以上の領域であることを特徴とする色域圧縮装置。
【請求項７】
請求項１乃至請求項６の何れか一項に記載の色域圧縮装置において、
前記色域データ取得手段は、前記色度信号データ取得手段によって取得した第２の色度信号データに基づいて第２のデバイスの色域を示す第２の色域データを取得し、
前記第２の色域データの彩度が０（ゼロ）の場合の明度の最小値と、前記第１の色域データの彩度が０（ゼロ）の場合の明度の最小値との差が所定値以上であって、前記第２の色域データの彩度が０（ゼロ）の場合の明度の最大値と、前記第１の色域データの彩度が０（ゼロ）の場合の明度の最大値との差が所定値以上である場合には、前記高彩度領域は、前記第１の色域データとの色差が所定値以上の領域であることを特徴とする色域圧縮装置。
【請求項８】
請求項７に記載の色域圧縮装置において、
前記高彩度領域は、前記第１の色域データとの色差ΔＥが５以上となる領域であることを特徴とする色域圧縮装置。
【請求項９】
請求項１乃至請求項８の何れか一項に記載の色域圧縮装置において、
前記補間手段による補間結果に基づいて、色域変換用ルックアップテーブルを作成するルックアップテーブル作成手段を有することを特徴とする色域圧縮装置。
【請求項１０】
請求項２乃至請求項９の何れか一項に記載の色域圧縮装置において、
前記色彩信号は、ＣＩＥＬａｂ空間における座標値であることを特徴とする色域圧縮装置。
【請求項１１】
第１のデバイスの色域が、目標とする第２のデバイスの色域よりも小さい場合に、前記第２のデバイスの色域を圧縮する色域圧縮装置に含まれるコンピュータを、
前記第１のデバイスに係る色度信号を示す複数の第１の色度信号データと、前記第２のデバイスに係る色度信号を示す複数の第２の色度信号データと、を取得する色度信号データ取得手段、
前記第１の色度信号データに基づいて第１のデバイスの色域を示す第１の色域データを取得し、前記第２の色度信号データに基づいて第２のデバイスの色域を示す第２の色域データを取得する色域データ取得手段、
前記第２の色度信号データのうち、前記第１の色域データによって示される前記第１のデバイスの色域内に存在する第２の色度信号データを含む高彩度領域に属する第２の色度信号データであって、前記第２の色域データで示される色域の最外郭に属する最外郭色度信号データを除く他の前記第２の色度信号データを除去する除去手段及び、
前記第１の色域データで示される色域外に存在する前記最外郭色度信号データを、当該第１の色域データで示される色域内に収まるよう変換する変換手段、
前記色度信号データ取得手段によって取得された第１の色度信号データと、前記除去手段による除去後の残りの前記第２の色度信号データと、前記変換手段によって変換された前記最外郭色度信号データと、に基づいて、前記高彩度領域を補間する補間手段として機能させることを特徴とする色域圧縮プログラム。
【請求項１２】
第１の印刷装置の色域が、目標とする第２の印刷装置の色域よりも小さい場合に、前記第２の印刷装置の色域を圧縮する色域圧縮装置に含まれるコンピュータを、
前記第１の印刷装置及び前記第２の印刷装置によって印刷された色域圧縮用カラーチャートであって、前記第２の印刷装置の色域を示す第２の色域データで示される色域の最外郭に属する最外郭色度信号データ以外の高彩度領域のカラーデータが存在しない前記色域圧縮用カラーチャートを測色して、前記第１の印刷装置及び前記第２の印刷装置に係る複数の色彩信号をそれぞれ取得し、当該それぞれの色彩信号に基づいて第２の色度信号データ及び第１の色度信号データを取得する色度信号データ取得手段、
前記第１の色度信号データに基づいて第１の印刷装置の色域を示す第１の色域データを取得し、前記第２の色度信号データに基づいて第２の印刷装置の色域を示す第２の色域データを取得する色域データ取得手段と、
前記取得された第２の色度信号データのうち、前記取得された第１の色域データで示される色域外に存在する前記第２の色域データで示される色域の最外郭に属する最外郭色度信号データを当該第１の色域データで示される色域内に収まるよう変換する変換手段及び、
前記色度信号データ取得手段によって取得された第１の色度信号データ及び第２の色度信号データと、前記変換手段によって変換された前記最外郭色度信号データと、に基づいて、前記高彩度領域を補間する補間手段として機能させることを特徴とする色域圧縮プログラム。
【請求項１３】
請求項１１又は請求項１２に記載の色域圧縮プログラムにおいて、
前記変換手段を、前記最外郭色度信号データの特定の色成分に重み付けをして、変換前と変換後の前記最外郭色度信号データの色差が最小となるように変換するよう機能させることを特徴とする色域圧縮プログラム。
【請求項１４】
請求項１３に記載の色域圧縮プログラムにおいて、
前記特定の色成分は、色相、又は明度、又は彩度の何れかであることを特徴とする色域圧縮プログラム。
【請求項１５】
請求項１１乃至請求項１４の何れか一項に記載の色域圧縮プログラムにおいて、
前記補間手段は、線形補間若しくは非線形補間によるものであることを特徴とする色域圧縮プログラム。
【請求項１６】
請求項１１乃至請求項１５の何れか一項に記載の色域圧縮プログラムにおいて、
前記高彩度領域は、前記第１の色域データに係る各明度において再現可能な最大彩度の８０％以上の領域であることを特徴とする色域圧縮プログラム。
【請求項１７】
請求項１１乃至請求項１６の何れか一項に記載の色域圧縮プログラムにおいて、
前記第２の色域データの彩度が０（ゼロ）の場合の明度の最小値と、前記第１の色域データの彩度が０（ゼロ）の場合の明度の最小値との差が所定値以上であって、前記第２の色域データの彩度が０（ゼロ）の場合の明度の最大値と、前記第１の色域データの彩度が０（ゼロ）の場合の明度の最大値との差が所定値以上である場合には、前記高彩度領域は、前記第１の色域データとの色差が所定値以上の領域であることを特徴とする色域圧縮プログラム。
【請求項１８】
請求項１７に記載の色域圧縮プログラムにおいて、
前記高彩度領域は、前記第１の色域データとの色差ΔＥが５以上となる領域であることを特徴とする色域圧縮プログラム。
【請求項１９】
請求項１１乃至請求項１８の何れか一項に記載の色域圧縮プログラムにおいて、前記コンピュータを、
前記補間手段による補間結果に基づいて、色域変換用ルックアップテーブルを作成するルックアップテーブル作成手段として更に機能させることを特徴とする色域圧縮プログラム。
【請求項２０】
請求項１２乃至請求項１９に記載の色域圧縮プログラムにおいて、
前記色彩信号は、ＣＩＥＬａｂ空間における座標値であることを特徴とする色域圧縮プログラム。
【請求項２１】
請求項１１乃至請求項２０のいずれか一項に記載の色変換プログラムが、コンピュータで読み取り可能に記憶されていることを特徴とする記録媒体。
【請求項２２】
第１のデバイスの色域が、目標とする第２のデバイスの色域よりも小さい場合に、前記第２のデバイスの色域を圧縮する色域圧縮方法であって、
前記第１のデバイスに係る色度信号を示す複数の第１の色度信号データと、前記第２のデバイスに係る色度信号を示す複数の第２の色度信号データと、を取得する工程と、
前記第１の色度信号データに基づいて第１のデバイスの色域を示す第１の色域データを取得し、前記第２の色度信号データに基づいて第２のデバイスの色域を示す第２の色域データを取得する工程と、
前記第２の色度信号データのうち、前記第１の色域データによって示される前記第１のデバイスの色域内に存在する第２の色度信号データを含む高彩度領域に属する第２の色度信号データであって、前記第２の色域データで示される色域の最外郭に属する最外郭色度信号データを除く他の前記第２の色度信号データを除去する工程と、
前記第１の色域データで示される色域外に存在する前記最外郭色度信号データを、当該第１の色域データで示される色域内に収まるよう変換する変換工程と、
前記取得された第１の色度信号データと、前記除去後の残りの前記第２の色度信号データと、前記変換後の前記最外郭色度信号データと、に基づいて、前記高彩度領域を補間する補間工程と、
を有することを特徴とする色域圧縮方法。
【請求項２３】
第１の印刷装置の色域が、目標とする第２の印刷装置の色域よりも小さい場合に、前記第２の印刷装置の色域を圧縮する色域圧縮方法であって、
前記第１の印刷装置及び前記第２の印刷装置によって印刷された色域圧縮用カラーチャートであって、前記第２の印刷装置の色域を示す第２の色域データで示される色域の最外郭に属する最外郭色度信号データ以外の高彩度領域のカラーデータが存在しない前記色域圧縮用カラーチャートを測色して、前記第１の印刷装置及び前記第２の印刷装置に係る複数の色彩信号をそれぞれ取得し、当該それぞれの色彩信号に基づいて第２の色度信号データ及び第１の色度信号データを取得する工程と、
前記第１の色度信号データに基づいて第１の印刷装置の色域を示す第１の色域データを取得し、前記第２の色度信号データに基づいて第２の印刷装置の色域を示す第２の色域データを取得する工程と、
前記取得された第２の色度信号データのうち、前記取得された第１の色域データで示される色域外に存在する前記第２の色域データで示される色域の最外郭に属する最外郭色度信号データを、当該第１の色域データで示される色域内に収まるよう変換する変換工程と、
前記取得された第１の色度信号データ及び第２の色度信号データと、前記変換後の前記最外郭色度信号データと、に基づいて、前記高彩度領域を補間する補間工程と、
を有することを特徴とする色域圧縮方法。
【請求項２４】
請求項２２又は請求項２３に記載の色域圧縮方法において、
前記変換工程は、前記最外郭色度信号データの特定の色成分に重み付けをして、変換前と変換後の前記最外郭色度信号データの色差が最小となるよう変換することを特徴とする色域圧縮方法。
【請求項２５】
請求項２４に記載の色域圧縮方法において、
前記特定の色成分は、色相、又は明度、又は彩度の何れかであることを特徴とする色域圧縮方法。
【請求項２６】
請求項２２乃至請求項２５の何れか一項に記載の色域圧縮方法において、
前記補間工程は、線形補間若しくは非線形補間によるものであることを特徴とする色域圧縮方法。
【請求項２７】
請求項２２乃至請求項２６の何れか一項に記載の色域圧縮方法において、
前記高彩度領域は、前記第１の色域データに係る各明度において再現可能な最大彩度の８０％以上の領域であることを特徴とする色域圧縮方法。
【請求項２８】
請求項２２乃至請求項２７の何れか一項に記載の色域圧縮方法において、
前記第２の色域データの彩度が０（ゼロ）の場合の明度の最小値と、前記第１の色域データの彩度が０（ゼロ）の場合の明度の最小値との差が所定値以上であって、前記第２の色域データの彩度が０（ゼロ）の場合の明度の最大値と、前記第１の色域データの彩度が０（ゼロ）の場合の明度の最大値との差が所定値以上である場合には、前記高彩度領域は、前記第１の色域データとの色差が所定値以上の領域であることを特徴とする色域圧縮方法。
【請求項２９】
請求項２８に記載の色域圧縮方法において、
前記高彩度領域は、前記第１の色域データとの色差ΔＥが５以上となる領域であることを特徴とする色域圧縮方法。
【請求項３０】
請求項２２乃至請求項２９の何れか一項に記載の色域圧縮方法において、
前記補間工程による補間結果に基づいて、色域変換用ルックアップテーブルを作成する工程を有することを特徴とする色域圧縮方法。
【請求項３１】
請求項２３乃至請求項２９の何れか一項に記載の色域圧縮方法において、
前記色彩信号は、ＣＩＥＬａｂ空間における座標値であることを特徴とする色域圧縮方法。
【発明の詳細な説明】
【技術分野】
【０００１】
本発明は、カラーＤＴＰシステムにおける色域圧縮装置等の技術分野に関し、特に第１のデバイスの色域が、目標とする第２のデバイスの色域よりも小さい場合に、各デバイスの色域の違いを考慮してより自然な色再現ができるようにした色域圧縮装置等に関する。
【背景技術】
【０００２】
一般に、カラー画像を扱うプリンタやモニタ等のデバイスの色域すなわち色の再現範囲(Gamut) の形状は、それぞれのデバイス毎に異なる。例えば、プリンタはインクのシアン（Ｃ），マゼンダ（Ｍ），イエロー（Ｙ），ブラック（Ｋ）で色再現を行なっているが、実際にプリンタによって印刷される色の再現範囲（Gamut）（以下、色域と言う。）は使用するインクの特性や画像の記録媒体となる印刷紙の種類等によっても異なる。
【０００３】
ところで、オフセット印刷装置等の大型の業務用印刷装置を販売する際など、当該業務用印刷装置の色再現性等を確認するために、業務用印刷装置でカラーチャートや印刷テスト用写真等を印刷して、その印刷物を顧客に示して販売促進活動や営業活動を行なうことが考えられる。このように顧客に印刷物を示すたびに、販売対象となる業務用印刷装置で印刷をする手間や、業務用印刷装置の稼動コスト等を考慮して、各営業所等に備えられたインクジェットプリンタ等の汎用小型印刷装置で、販売対象である業務用印刷装置の色再現性を有する印刷物を出力（印刷）することがある。
【０００４】
このような場合、販売対象となる業務用印刷装置での色再現を、インクジェットプリンタ等の汎用小型印刷装置で行うために、汎用小型印刷装置の色域を、業務用印刷装置の色域に調整する必要がある。このように、夫々のデバイス間において同じような色で再現しようというデバイスに依存しない色再現技術(Device Independent Color)の概念が要求されるようになってきている。このデバイスに依存しない色再現技術(Device Independent Color)を実現するためのシステムのことを一般的にカラーマネージメントシステム(CMS:Color Management System) と呼んでいる。
【０００５】
このカラーマネージメントシステムは、例えばカメラ、スキャナ、モニタ、プリンタなどの各種入出力デバイスを接続するに当たり、入力系の色信号から出力系の信号へ変換するときに、プロファイルと呼ばれる変換式若しくは変換テーブルによりデバイスに依存しない共通の色空間（国際照明委員会（ＣＩＥ）が定めた１９７６ＣＩＥＬａｂ空間等）に一度変換することによって実現される。
【０００６】
上記カラーマネージメントシステムにおいて、汎用小型印刷装置の色域が業務用印刷装置の色域よりも大きい場合には、汎用小型印刷装置にて業務用印刷装置の色再現性を有する印刷物を印刷できるので問題にならないが、逆に、業務用印刷装置の色域が汎用小型印刷装置の色域よりも大きい場合には、カラーチャートや印刷テスト用写真等によっては色情報をそのまま正確に再現することはできない。例えば、業務用印刷装置における色再現性を有する印刷物を汎用小型印刷装置にて印刷する場合に、業務用印刷装置よりも汎用小型印刷装置の色域の方が小さいので、汎用小型印刷装置の再現範囲外の色はそのままでは再現できない。従って、このような場合には、業務用印刷装置における色情報をなるべく保ちつつ、色域外の色を汎用小型印刷装置の再現範囲内にもってくるような色修正処理が必要になる。
【０００７】
このように物理的に再現不可能な色を何らかの処理により色域内に押し込む（圧縮する）ことを一般的に色域圧縮(Gamut Compression) と呼び、例えば以下の特許文献１乃至４には種々の圧縮手法に関する技術が開示されている。
【０００８】
【特許文献１】特開２００２−１１８７６４号公報
【特許文献２】特開平１１−３４１２９６号公報
【特許文献３】特開平９−９８２９９８号公報
【特許文献４】特開平７−２３６０６９号公報
【発明の開示】
【発明が解決しようとする課題】
【０００９】
従来より知られている圧縮法では、業務用印刷装置にて再現可能な色のうち、汎用小型印刷装置の色域内にある色は変換せずに、色域外の色のみを色域内にクリッピング（変換）する手法があるが、このような手法では、汎用小型印刷装置の色域境界付近等の高彩度部分の階調性が悪くなるという問題があった。
【００１０】
これを解決する手法として、業務用印刷装置にて再現可能な色が全て汎用小型印刷装置の色域内に収まるよう、全ての色を圧縮する手法が提案されているが、これでは全体的な色変換精度が低下し、更に演算時間がかかるため迅速な圧縮処理が行なえないという問題があった。
【００１１】
そこで、本発明は上記課題に鑑みてなされたものであり、カラーＤＴＰシステムにおいて、各デバイスの色域の違いを考慮してより自然な色再現ができるようにした色域圧縮方法及び色域圧縮装置を提供することを目的する。
【課題を解決するための手段】
【００１２】
上記課題を解決するため、請求項１に記載の発明は、第１のデバイスの色域が、目標とする第２のデバイスの色域よりも小さい場合に、前記第２のデバイスの色域を圧縮する色域圧縮装置であって、前記第１のデバイスに係る色度信号を示す複数の第１の色度信号データと、前記第２のデバイスに係る色度信号を示す複数の第２の色度信号データと、を取得する色度信号データ取得手段と、前記第１の色度信号データに基づいて第１のデバイスの色域を示す第１の色域データを取得し、前記第２の色度信号データに基づいて第２のデバイスの色域を示す第２の色域データを取得する色域データ取得手段と、前記第２の色度信号データのうち、前記第１の色域データによって示される前記第１のデバイスの色域内に存在する第２の色度信号データを含む高彩度領域に属する第２の色度信号データであって、前記第２の色域データで示される色域の最外郭に属する最外郭色度信号データを除く他の前記第２の色度信号データを除去する除去手段と、前記第１の色域データで示される色域外に存在する前記最外郭色度信号データを、当該第１の色域データで示される色域内に収まるよう変換する変換手段と、前記色度信号データ取得手段によって取得された第１の色度信号データと、前記除去手段による除去後の残りの前記第２の色度信号データと、前記変換手段によって変換された前記最外郭色度信号データとに基づいて、前記高彩度領域を補間する補間手段とを有することを特徴とする。
【００１３】
これによれば、第２のデバイスで再現可能な第２の色度信号データのうち、高彩度領域に属する第２の色度信号データであって、最外郭色度信号データを以外の他の第２の色度信号データを取り除き、最外郭色度信号データを第１のデバイスの色域内に収まるよう変換し、変換後の最外郭色度信号データと、除去されずに残った第２の色度信号データと、取得した第１の色度信号データと、に基づいて、高彩度領域を補間するよう構成したので、色域の閾値付近（高彩度領域）では滑らかに変化し、そして、第１のデバイスの色域内部は、変化させることなく、かつ、迅速に全体の色域を圧縮させることができるため、色域圧縮前と色域圧縮後で高い色変換精度と高い階調再現性を実現することが可能になる。
【００１４】
上記課題を解決するため、請求項２に記載の発明は、第１の印刷装置の色域が、目標とする第２の印刷装置の色域よりも小さい場合に、前記第２の印刷装置の色域を圧縮する色域圧縮装置であって、前記第１の印刷装置及び前記第２の印刷装置によって印刷された色域圧縮用カラーチャートであって、前記第２の印刷装置の色域を示す第２の色域データで示される色域の最外郭に属する最外郭色度信号データ以外の高彩度領域のカラーデータが存在しない前記色域圧縮用カラーチャートを測色して、前記第１の印刷装置及び前記第２の印刷装置に係る複数の色彩信号をそれぞれ取得し、当該それぞれの色彩信号に基づいて第２の色度信号データ及び第１の色度信号データを取得する色度信号データ取得手段と、前記第１の色度信号データに基づいて第１の印刷装置の色域を示す第１の色域データを取得し、前記第２の色度信号データに基づいて第２の印刷装置の色域を示す第２の色域データを取得する色域データ取得手段と、前記取得された第２の色度信号データのうち、前記取得された第１の色域データで示される色域外に存在する前記第２の色域データで示される色域の最外郭に属する最外郭色度信号データを当該第１の色域データで示される色域内に収まるよう変換する変換手段と、前記色度信号データ取得手段によって取得された第１の色度信号データ及び第２の色度信号データと、前記変換手段によって変換された前記最外郭色度信号データと、に基づいて、前記高彩度領域を補間する補間手段と、を有することを特徴とする。
【００１５】
これによれば、予め高彩度領域の存在しない色域圧縮用カラーチャートを第２の印刷装置及び第１の印刷装置にて印刷し、当該色域圧縮用カラーチャートを測色することにより、高彩度領域の存在しない第２の色度信号データ及び第１の色度信号データを取得することが可能になるので、当該第２の色度信号データと第１の色度信号データと変換後の最外郭色度信号データと、に基づいて、高彩度領域を補間するよう構成することにより色域の閾値付近（高彩度領域）では滑らかに変化し、そして、第１の印刷装置の色域内部は、変化させることなく、かつ、迅速に全体の色域を圧縮させることができるため、色域圧縮前と色域圧縮後で高い色変換精度と高い階調再現性を実現することが可能になる。
【００１６】
上記課題を解決するため、請求項３に記載の発明は、請求項１又は請求項２に記載の色域圧縮装置において、前記変換手段は、前記最外郭色度信号データの特定の色成分に重み付けをして、変換前と変換後の前記最外郭色度信号データの色差が最小となるよう変換することを特徴とする。
【００１７】
これによれば、例えば、人間の視覚に大きく影響を及ぼす色成分に重み付けをして変換することにより、人間の視覚への影響を最小限に抑えることが可能となる。
【００１８】
上記課題を解決するため、請求項４に記載の発明は、請求項３に記載の色域圧縮装置において、前記特定の色成分は、色相、又は明度、又は彩度の何れかであることを特徴とする。
【００１９】
これによれば、人間の視覚に大きく影響を及ぼす色相は維持しつつ、明度の変位と彩度の変位の比率を３対１とするなど、人間の視覚に比較的大きな影響を及ぼす明度をできるだけ維持するよう重み付けをして圧縮するよう構成することが可能になり、人間の視覚に対する影響を考慮した色域圧縮が可能になる。
【００２０】
上記課題を解決するため、請求項５に記載の発明は、請求項１乃至請求項４の何れか一項に記載の色域圧縮装置において、前記補間手段は、線形補間若しくは非線形補間によるものであることを特徴とする。
【００２１】
これによれば、より確実かつ高い階調再現性を有する圧縮を実現することが可能になる。
【００２２】
上記課題を解決するため、請求項６に記載の発明は、請求項１乃至請求項５の何れか一項に記載の色域圧縮装置において、前記高彩度領域は、前記第１の色域データに係る各明度において再現可能な最大彩度の８０％以上の領域であることを特徴とする。
【００２３】
これによれば、色域の閾値付近では滑らかに変化し、そして、第１のデバイスとしての印刷装置の色域内部は、カラーチャートを印刷して測定した値等、第１のデバイスによって再現可能な値をそのまま使用して全体の色域を圧縮させることができるため、色域圧縮前と色域圧縮後で高い色変換精度と高い階調再現性を実現することが可能になる。
【００２４】
上記課題を解決するため、請求項７に記載の発明は、請求項１乃至請求項６の何れか一項に記載の色域圧縮装置において、前記色域データ取得手段は、前記色度信号データ取得手段によって取得した第２の色度信号データに基づいて第２のデバイスの色域を示す第２の色域データを取得し、前記第２の色域データの彩度が０（ゼロ）の場合の明度の最小値と、前記第１の色域データの彩度が０（ゼロ）の場合の明度の最小値との差が所定値以上であって、前記第２の色域データの彩度が０（ゼロ）の場合の明度の最大値と、前記第１の色域データの彩度が０（ゼロ）の場合の明度の最大値との差が所定値以上である場合には、前記高彩度領域は、前記第１の色域データとの色差が所定値以上の領域であることを特徴とする。
【００２５】
これによれば、色域の閾値付近では滑らかに変化し、そして、第１のデバイスとしての印刷装置の色域内部は、カラーチャートを印刷して測定した値等、第１のデバイスによって再現可能な値をそのまま使用して全体の色域を圧縮させることができるため、色域圧縮前と色域圧縮後で高い色変換精度と高い階調再現性を実現することが可能になる。
【００２６】
上記課題を解決するため、請求項８に記載の発明は、請求項７に記載の色域圧縮装置において、前記高彩度領域は、前記第１の色域データとの色差ΔＥが５以上となる領域であることを特徴とする。
【００２７】
これによれば、人間の視覚に対する影響を考慮した色域圧縮が可能になる。
【００２８】
上記課題を解決するため、請求項９に記載の発明は、請求項１乃至請求項８の何れか一項に記載の色域圧縮装置において、前記補間手段による補間結果に基づいて、色域変換用ルックアップテーブルを作成するルックアップテーブル作成手段を有することを特徴とする。
【００２９】
これによれば、色域の異なる印刷装置等のデバイス間における色域を変換するためのルックアップテーブルを作成する際により高い色変換精度と高い階調再現性を有する色域変換用ルックアップテーブルを作成することが可能になる。
【００３０】
上記課題を解決するため、請求項１０に記載の発明は、請求項２乃至請求項９の何れか一項に記載の色域圧縮装置において、前記色彩信号は、ＣＩＥＬａｂ空間における座標値であることを特徴とする。
【００３１】
これによれば、第１の印刷装置にて印刷したカラーチャートを、ＣＩＥＬａｂ空間における座標値としての色彩信号に置き換えることにより、最適なデバイスに依存しない色空間に置き換えることが可能になる。
【００３２】
上記課題を解決するため、請求項１１に記載の発明は、第１のデバイスの色域が、目標とする第２のデバイスの色域よりも小さい場合に、前記第２のデバイスの色域を圧縮する色域圧縮装置に含まれるコンピュータを、前記第１のデバイスに係る色度信号を示す複数の第１の色度信号データと、前記第２のデバイスに係る色度信号を示す複数の第２の色度信号データと、を取得する色度信号データ取得手段、前記第１の色度信号データに基づいて第１のデバイスの色域を示す第１の色域データを取得し、前記第２の色度信号データに基づいて第２のデバイスの色域を示す第２の色域データを取得する色域データ取得手段、前記第２の色度信号データのうち、前記第１の色域データによって示される前記第１のデバイスの色域内に存在する第２の色度信号データを含む高彩度領域に属する第２の色度信号データであって、前記第２の色域データで示される色域の最外郭に属する最外郭色度信号データを除く他の前記第２の色度信号データを除去する除去手段及び、前記第１の色域データで示される色域外に存在する前記最外郭色度信号データを、当該第１の色域データで示される色域内に収まるよう変換する変換手段、前記色度信号データ取得手段によって取得された第１の色度信号データと、前記除去手段による除去後の残りの前記第２の色度信号データと、前記変換手段によって変換された前記最外郭色度信号データと、に基づいて、前記高彩度領域を補間する補間手段として機能させることを特徴とする。
【００３３】
これによれば、第２のデバイスで再現可能な第２の色度信号データのうち、高彩度領域に属する第２の色度信号データであって、最外郭色度信号データを以外の他の第２の色度信号データを取り除き、最外郭色度信号データを第１のデバイスの色域内に収まるよう変換し、変換後の最外郭色度信号データと、除去されずに残った第２の色度信号データと、取得した第１の色度信号データと、に基づいて、高彩度領域を補間するよう構成したので、色域の閾値付近（高彩度領域）では滑らかに変化し、そして、第１のデバイスの色域内部は、変化させることなく、かつ、迅速に全体の色域を圧縮させることができるため、色域圧縮前と色域圧縮後で高い色変換精度と高い階調再現性を実現することが可能になる。
【００３４】
上記課題を解決するため、請求項１２に記載の発明は、第１の印刷装置の色域が、目標とする第２の印刷装置の色域よりも小さい場合に、前記第２の印刷装置の色域を圧縮する色域圧縮装置に含まれるコンピュータを、前記第１の印刷装置及び前記第２の印刷装置によって印刷された色域圧縮用カラーチャートであって、前記第２の印刷装置の色域を示す第２の色域データで示される色域の最外郭に属する最外郭色度信号データ以外の高彩度領域のカラーデータが存在しない前記色域圧縮用カラーチャートを測色して、前記第１の印刷装置及び前記第２の印刷装置に係る複数の色彩信号をそれぞれ取得し、当該それぞれの色彩信号に基づいて第２の色度信号データ及び第１の色度信号データを取得する色度信号データ取得手段、前記第１の色度信号データに基づいて第１の印刷装置の色域を示す第１の色域データを取得し、前記第２の色度信号データに基づいて第２の印刷装置の色域を示す第２の色域データを取得する色域データ取得手段と、前記取得された第２の色度信号データのうち、前記取得された第１の色域データで示される色域外に存在する前記第２の色域データで示される色域の最外郭に属する最外郭色度信号データを当該第１の色域データで示される色域内に収まるよう変換する変換手段及び、前記色度信号データ取得手段によって取得された第１の色度信号データ及び第２の色度信号データと、前記変換手段によって変換された前記最外郭色度信号データと、に基づいて、前記高彩度領域を補間する補間手段として機能させることを特徴とする。
【００３５】
これによれば、予め高彩度領域の存在しない色域圧縮用カラーチャートを第２の印刷装置及び第１の印刷装置にて印刷し、当該色域圧縮用カラーチャートを測色することにより、高彩度領域の存在しない第２の色度信号データ及び第１の色度信号データを取得することが可能になるので、当該第２の色度信号データと第１の色度信号データと変換後の最外郭色度信号データと、に基づいて、高彩度領域を補間するよう構成することにより色域の閾値付近（高彩度領域）では滑らかに変化し、そして、第１の印刷装置の色域内部は、変化させることなく、かつ、迅速に全体の色域を圧縮させることができるため、色域圧縮前と色域圧縮後で高い色変換精度と高い階調再現性を実現することが可能になる。
【００３６】
上記課題を解決するため、請求項１３に記載の発明は、請求項１１又は請求項１２に記載の色域圧縮プログラムにおいて、前記変換手段を、前記最外郭色度信号データの特定の色成分に重み付けをして、変換前と変換後の前記最外郭色度信号データの色差が最小となるように変換するよう機能させることを特徴とする。
【００３７】
これによれば、例えば、人間の視覚に大きく影響を及ぼす色成分に重み付けをして変換することにより、人間の視覚への影響を最小限に抑えることが可能となる。
【００３８】
上記課題を解決するため、請求項１４に記載の発明は、請求項１３に記載の色域圧縮プログラムにおいて、前記特定の色成分は、色相、又は明度、又は彩度の何れかであることを特徴とする。
【００３９】
これによれば、人間の視覚に大きく影響を及ぼす色相は維持しつつ、明度の変位と彩度の変位の比率を３対１とするなど、人間の視覚に比較的大きな影響を及ぼす明度をできるだけ維持するよう重み付けをして圧縮するよう構成することが可能になり、人間の視覚に対する影響を考慮した色域圧縮が可能になる。
【００４０】
上記課題を解決するため、請求項１５に記載の発明は、請求項１１乃至請求項１４の何れか一項に記載の色域圧縮プログラムにおいて、前記補間手段は、線形補間若しくは非線形補間によるものであることを特徴とする。
【００４１】
これによれば、より確実かつ高い階調再現性を有する圧縮を実現することが可能になる。
【００４２】
上記課題を解決するため、請求項１６に記載の発明は、請求項１１乃至請求項１５の何れか一項に記載の色域圧縮プログラムにおいて、前記高彩度領域は、前記第１の色域データに係る各明度において再現可能な最大彩度の８０％以上の領域であることを特徴とする。
【００４３】
これによれば、色域の閾値付近では滑らかに変化し、そして、第１のデバイスとしての印刷装置の色域内部は、カラーチャートを印刷して測定した値等、第１のデバイスによって再現可能な値をそのまま使用して全体の色域を圧縮させることができるため、色域圧縮前と色域圧縮後で高い色変換精度と高い階調再現性を実現することが可能になる。
【００４４】
上記課題を解決するため、請求項１７に記載の発明は、請求項１１乃至請求項１６の何れか一項に記載の色域圧縮プログラムにおいて、前記第２の色域データの彩度が０（ゼロ）の場合の明度の最小値と、前記第１の色域データの彩度が０（ゼロ）の場合の明度の最小値との差が所定値以上であって、前記第２の色域データの彩度が０（ゼロ）の場合の明度の最大値と、前記第１の色域データの彩度が０（ゼロ）の場合の明度の最大値との差が所定値以上である場合には、前記高彩度領域は、前記第１の色域データとの色差が所定値以上の領域であることを特徴とする。
【００４５】
これによれば、色域の閾値付近では滑らかに変化し、そして、第１のデバイスとしての印刷装置の色域内部は、カラーチャートを印刷して測定した値等、第１のデバイスによって再現可能な値をそのまま使用して全体の色域を圧縮させることができるため、色域圧縮前と色域圧縮後で高い色変換精度と高い階調再現性を実現することが可能になる。
【００４６】
上記課題を解決するため、請求項１８に記載の発明は、請求項１７に記載の色域圧縮プログラムにおいて、前記高彩度領域は、前記第１の色域データとの色差ΔＥが５以上となる領域であることを特徴とする。
【００４７】
これによれば、人間の視覚に対する影響を考慮した色域圧縮が可能になる。
【００４８】
上記課題を解決するため、請求項１９に記載の発明は、請求項１１乃至請求項１８の何れか一項に記載の色域圧縮プログラムにおいて、前記コンピュータを、前記補間手段による補間結果に基づいて、色域変換用ルックアップテーブルを作成するルックアップテーブル作成手段として更に機能させることを特徴とする。
【００４９】
これによれば、色域の異なる印刷装置等のデバイス間における色域を変換するためのルックアップテーブルを作成する際により高い色変換精度と高い階調再現性を有する色域変換用ルックアップテーブルを作成することが可能になる。
【００５０】
上記課題を解決するため、請求項２０に記載の発明は、請求項１２乃至請求項１９に記載の色域圧縮プログラムにおいて、前記色彩信号は、ＣＩＥＬａｂ空間における座標値であることを特徴とする。
【００５１】
これによれば、第１の印刷装置にて印刷したカラーチャートを、ＣＩＥＬａｂ空間における座標値としての色彩信号に置き換えることにより、最適なデバイスに依存しない色空間に置き換えることが可能になる。
【００５２】
上記課題を解決するため、請求項２１に記載の発明は、請求項１１乃至請求項２０のいずれか一項に記載の色変換プログラムが、コンピュータで読み取り可能に記憶されていることを特徴とする。
【００５３】
上記課題を解決するため、請求項２２に記載の発明は、第１のデバイスの色域が、目標とする第２のデバイスの色域よりも小さい場合に、前記第２のデバイスの色域を圧縮する色域圧縮方法であって、前記第１のデバイスに係る色度信号を示す複数の第１の色度信号データと、前記第２のデバイスに係る色度信号を示す複数の第２の色度信号データと、を取得する工程と、前記第１の色度信号データに基づいて第１のデバイスの色域を示す第１の色域データを取得し、前記第２の色度信号データに基づいて第２のデバイスの色域を示す第２の色域データを取得する工程と、前記第２の色度信号データのうち、前記第１の色域データによって示される前記第１のデバイスの色域内に存在する第２の色度信号データを含む高彩度領域に属する第２の色度信号データであって、前記第２の色域データで示される色域の最外郭に属する最外郭色度信号データを除く他の前記第２の色度信号データを除去する工程と、前記第１の色域データで示される色域外に存在する前記最外郭色度信号データを、当該第１の色域データで示される色域内に収まるよう変換する変換工程と、前記取得された第１の色度信号データと、前記除去後の残りの前記第２の色度信号データと、前記変換後の前記最外郭色度信号データと、に基づいて、前記高彩度領域を補間する補間工程と、を有することを特徴とする。
【００５４】
上記課題を解決するため、請求項２３に記載の発明は、第１の印刷装置の色域が、目標とする第２の印刷装置の色域よりも小さい場合に、前記第２の印刷装置の色域を圧縮する色域圧縮方法であって、前記第１の印刷装置及び前記第２の印刷装置によって印刷された色域圧縮用カラーチャートであって、前記第２の印刷装置の色域を示す第２の色域データで示される色域の最外郭に属する最外郭色度信号データ以外の高彩度領域のカラーデータが存在しない前記色域圧縮用カラーチャートを測色して、前記第１の印刷装置及び前記第２の印刷装置に係る複数の色彩信号をそれぞれ取得し、当該それぞれの色彩信号に基づいて第２の色度信号データ及び第１の色度信号データを取得する工程と、前記第１の色度信号データに基づいて第１の印刷装置の色域を示す第１の色域データを取得し、前記第２の色度信号データに基づいて第２の印刷装置の色域を示す第２の色域データを取得する工程と、前記取得された第２の色度信号データのうち、前記取得された第１の色域データで示される色域外に存在する前記第２の色域データで示される色域の最外郭に属する最外郭色度信号データを、当該第１の色域データで示される色域内に収まるよう変換する変換工程と、前記取得された第１の色度信号データ及び第２の色度信号データと、前記変換後の前記最外郭色度信号データと、に基づいて、前記高彩度領域を補間する補間工程とを有することを特徴とする。
【００５５】
上記課題を解決するため、請求項２４に記載の発明は、請求項２２又は請求項２３に記載の色域圧縮方法において、前記変換工程は、前記最外郭色度信号データの特定の色成分に重み付けをして、変換前と変換後の前記最外郭色度信号データの色差が最小となるよう変換することを特徴とする。
【００５６】
上記課題を解決するため、請求項２５に記載の発明は、請求項２４に記載の色域圧縮方法において、前記特定の色成分は、色相、又は明度、又は彩度の何れかであることを特徴とする。
【００５７】
上記課題を解決するため、請求項２６に記載の発明は、請求項２２乃至請求項２５の何れか一項に記載の色域圧縮方法において、前記補間工程は、線形補間若しくは非線形補間によるものであることを特徴とする。
【００５８】
上記課題を解決するため、請求項２７に記載の発明は、請求項２２乃至請求項２６の何れか一項に記載の色域圧縮方法において、前記高彩度領域は、前記第１の色域データに係る各明度において再現可能な最大彩度の８０％以上の領域であることを特徴とする。
【００５９】
上記課題を解決するため、請求項２８に記載の発明は、請求項２２乃至請求項２７の何れか一項に記載の色域圧縮方法において、前記第２の色域データの彩度が０（ゼロ）の場合の明度の最小値と、前記第１の色域データの彩度が０（ゼロ）の場合の明度の最小値との差が所定値以上であって、前記第２の色域データの彩度が０（ゼロ）の場合の明度の最大値と、前記第１の色域データの彩度が０（ゼロ）の場合の明度の最大値との差が所定値以上である場合には、前記高彩度領域は、前記第１の色域データとの色差が所定値以上の領域であることを特徴とする。
【００６０】
上記課題を解決するため、請求項２９に記載の発明は、請求項２８に記載の色域圧縮方法において、前記高彩度領域は、前記第１の色域データとの色差ΔＥが５以上となる領域であることを特徴とする。
【００６１】
上記課題を解決するため、請求項３０に記載の発明は、請求項２２乃至請求項２９の何れか一項に記載の色域圧縮方法において、前記補間工程による補間結果に基づいて、色域変換用ルックアップテーブルを作成する工程を有することを特徴とする。
【００６２】
上記課題を解決するため、請求項３１に記載の発明は、請求項２３乃至請求項２９の何れか一項に記載の色域圧縮方法において、前記色彩信号は、ＣＩＥＬａｂ空間における座標値であることを特徴とする。
【発明の効果】
【００６３】
本発明によれば、第２のデバイスで再現可能な第２の色度信号データのうち、高彩度領域に属する第２の色度信号データであって、最外郭色度信号データを以外の他の第２の色度信号データを取り除き、最外郭色度信号データを第１のデバイスの色域内に収まるよう変換し、変換後の最外郭色度信号データと、除去されずに残った第２の色度信号データと、取得した第１の色度信号データと、に基づいて、高彩度領域を補間するよう構成したので、色域の閾値付近（高彩度領域）では滑らかに変化し、そして、第１のデバイスの色域内部は、変化させることなく、かつ、迅速に全体の色域を圧縮させることができるため、色域圧縮前と色域圧縮後で高い色変換精度と高い階調再現性を実現することが可能になる。
【発明を実施するための最良の形態】
【００６４】
以下、本発明の好適な実施の形態を添付図面に基づいて説明する。本実施形態は、オフセット印刷装置等の大型の業務用印刷装置の一例としての印刷本機によるカラー印刷の色再現を、色域の異なる他の印刷装置、例えば印刷本機よりも色域の小さい汎用小型印刷装置としてのインクジェットプリンタによって再現することを可能にする色域圧縮装置について本発明を適用した例を示す。
【００６５】
［色域圧縮装置の構成及び機能］
先ず、図１乃至図５を参照して、本実施形態にかかる色域圧縮装置の構成及び機能を説明する。
【００６６】
図１は、本実施形態にかかる色域圧縮装置の概要構成例を示すブロック図であり、図２は、本実施形態に係る色域圧縮処理の説明図である。
【００６７】
図１に示すように、色域圧縮装置１は、各種データ、テーブル及びプログラム等を記憶（格納）するＨＤＤ(Hard Disc Drive)等から構成された記憶部１１、液晶表示モニタ等により構成された表示部１２、色再現の目標となる印刷本機Ｐｏ（第２のデバイス）、インクジェットプリンタＰｉ（第１のデバイス）及び分光測色器Ｘと接続するための外部機器接続部１３、演算機能を有するＣＰＵ（Central Processing Unit）、作業用ＲＡＭ(Random-Access Memory)、各種データ及びプログラムを記憶するＲＯＭ(Read-Only Memory)等から構成されたコンピュータとしての演算制御部１４、を備えて構成され、これらの各構成要素はバス１５を介して相互に接続されている。
【００６８】
記憶部１１は、各デバイスのデバイス信号Ｄｄ（デバイス固有のＣＭＹＫ色空間における座標値）と、当該デバイス信号Ｄｄを再現可能な色彩信号Ｄｃ（デバイスに依存しない色空間における座標値）とを夫々対応付けて色変換テーブルとして記憶している。本実施の形態においては、図２に示す如く、デバイスとしての印刷本機Ｐｏ及びインクジェットプリンタＰｉにて、それぞれＩＳＯ（International Organization for Standardization：国際標準化機構）１２６４２で規格化されているＩＴ８．７／３などのＣＭＹＫで構成されるカラーチャートを印刷（出力）し（図２（Ａ）参照。）、そのカラーチャートを分光測色器Ｘにて測定して（図２（Ｂ）参照。）、カラーチャートを構成するそれぞれのデバイス信号Ｄｄに対応する色彩信号Ｄｃを取得して印刷本機Ｐｏの色変換テーブルＴｏと、インクジェットプリンタＰｉの色変換テーブルＴｉと、をそれぞれ作成し記憶部１１に記憶する（図２（Ｃ）参照。）。
【００６９】
すなわち、色変換テーブルＴｏ及び色変換テーブルＴｉは、図３に示す如く印刷本機Ｐｏ及びインクジェットプリンタＰｉのデバイス固有の色情報（デバイス信号Ｄｄ）を、デバイスに依存しない共通の色空間（国際照明委員会（ＣＩＥ）が定めた１９７６ＣＩＥＬａｂ空間等）（色彩信号Ｄｃ）に置き換えるものである。このように、デバイス固有の色情報を、一旦デバイスに依存しない共通の色空間に置き換えることによって、インクジェットプリンタＰｉの色域が、印刷本機Ｐｏの色域よりも小さい場合であっても、印刷本機Ｐｏにおける色情報をできるだけ保ちつつ、色域外の色をインクジェットプリンタＰｉの色域にクリッピングする色域圧縮(Gamut Compression)処理を行うことが可能になる。なお、色域圧縮処理は、後に詳述する色域変換用ルックアップテーブル作成処理の説明の中で併せて説明する。
【００７０】
また、印刷本機Ｐｏ及びインクジェットプリンタＰｉによって印刷されるカラーチャートは、各デバイス固有のＣＭＹＫ色空間における座標値、Ｃ（シアン：0≦Ｃ≦２５５）、Ｍ（マゼンタ：0≦Ｍ≦２５５）、Ｙ（イエロー：0≦Ｙ≦２５５）、Ｋ（ブラック：0≦Ｋ≦２５５）の各色の組み合わせにより構成されるが、例えばこのカラーチャートをあらかじめ記憶部１１内に記憶させておき、ユーザが図示しない操作入力部等を操作することにより当該カラーチャートを外部機器接続部１３を介して印刷本機Ｐｏ及びインクジェットプリンタＰｉから印刷し、分光測色器Ｘにて測定して、測定した結果、作成された色変換テーブルＴｏ及び色変換テーブルＴｉを作成し、図２（Ｃ）に示す如く記憶部１１に記憶するようになっている。
【００７１】
なお、Ｃ、Ｍ、Ｙ、Ｋは、上述したようにそれぞれ０から２５５までのいずれかの値を有するため、これらの全ての組み合わせを分光測色器等にて測定することは困難かつ煩雑であるため、実際には、例えば、Ｃ（シアン）、Ｍ（マゼンタ）、Ｙ（イエロー）、Ｋ（ブラック）の各色６ステップ（０％、２０％、４０％、６０％、８０％、１００％）の組み合わせ合計３１２５個のデバイス信号Ｄｄについて、これに対応する（すなわち、これらデバイス信号Ｄｄを再現可能な）色彩信号Ｄｃを取得して色変換テーブルＴｏ及び色変換テーブルＴｉを取得する。この場合には、取得されている各ＣＭＹＫの値を補間演算して、所望の数だけデバイス信号Ｄｄと、当該デバイス信号Ｄｄに対応する色彩信号Ｄｃを取得すればよい。デバイス信号Ｄｄと色彩信号Ｄｃとの組み合わせの数が多いほど、後に詳述する色域変換用ルックアップテーブル作成処理において作成される色域変換用ルックアップテーブルの精度が向上する。
【００７２】
表示部１２は、上記色変換テーブルＴｏ及び色変換テーブルＴｉが有する色彩信号Ｄｃのうち、ユーザが図示しないマウス等で構成された操作入力部等を操作することにより、表示を所望する色彩信号Ｄｃを選択すると、選択された色彩信号Ｄｃに基づく色彩を表示するようになっている。また、演算制御部１４からの各種処理信号に基づいて、処理信号によって指示された表示を行なう。
【００７３】
外部機器接続部１３は、分光測色器Ｘ、印刷本機Ｐｏ及びインクジェットプリンタＰｉと接続するためのものである。
【００７４】
演算制御部１４は、図示しないＣＰＵ（Central Processing Unit）、作業用ＲＡＭ（Random Access Memory）、本発明の色変換プログラム等を含む各種制御プログラムやデータ等を記憶するＲＯＭ（Read Only Memory）及び発振回路等を備えて構成されており、図示しない操作入力部等からの操作信号に基づいて、当該操作信号に含まれている操作情報に対応する動作を実現すべく上記各構成部材を制御するための制御情報を生成し、バス１５を介して当該制御情報を該当する構成部材に出力して当該各構成部材の動作を統轄制御する。また、演算制御部１４は、ＲＯＭ等に記憶されたプログラムを実行することにより、本発明の色度信号データ取得手段、色域データ取得手段、除去手段、変換手段、補間手段及びルックアップテーブル作成手段として機能するようになっている。
【００７５】
まず、演算制御部１４は、色度信号データ取得手段として機能し、インクジェットプリンタＰｉで再現可能な色彩信号Ｄｃ及び印刷本機Ｐｏで再現可能な色彩信号Ｄｃを記憶部１１に記憶した色変換テーブルＴｉ及びＴｏを参照して夫々取得し、当該各色彩信号Ｄｃに基づいて、色度信号を示す第１の色度信号データ及び第２の色度信号データとを取得する。
【００７６】
また、演算制御部１４は、色域データ取得手段として機能し、インクジェットプリンタＰｉの色度信号データに基づいてインクジェットプリンタＰｉの色域を示す色域データを取得し、印刷本機Ｐｏの色度信号データに基づいて印刷本機Ｐｏの色域を示す色域データを取得する。なお、色域データについては色域変換用ルックアップテーブル作成処理の説明において詳述する。
【００７７】
さらに、演算制御部１４は、除去手段として機能し、印刷本機Ｐｏの色度信号データのうち、インクジェットプリンタＰｉの色域内に存在する色度信号データを含む高彩度領域に属する色度信号データであって、印刷本機Ｐｏの色域の最外郭に属する最外郭色度信号データを除く他の色度信号データを除去する。なお、最外郭色度信号データの除去の手法についても、色域変換用ルックアップテーブル作成処理の説明において詳述する。
【００７８】
さらに、演算制御部１４は、変換手段として機能し、インクジェットプリンタＰｉの色域外に存在する最外郭色度信号データを、インクジェットプリンタＰｉの色域内に収まるよう変換する。
【００７９】
また、演算制御部１４は、補間手段として機能し、インクジェットプリンタＰｉの色度信号データと、除去後の残りの印刷本機Ｐｏの色度信号データと、変換された後の最外郭色度信号データと、に基づいて、高彩度領域を補間する。
【００８０】
また、演算制御部１４は、ルックアップテーブル作成手段として機能し、高彩度領域を補間した補間結果に基づいて、印刷本機ＰｏとインクジェットプリンタＰｉ間の色域変換用ルックアップテーブルを作成する。
【００８１】
なお、演算制御部１４における更なる具体的処理は次の色域変換用テーブル作成処理の説明において詳細に述べる。
【００８２】
［色域変換用ルックアップテーブル作成処理］
続いて、図１乃至図９を参照して色域変換用ルックアップテーブル作成処理の具体的手法について説明する。なお、当該色域変換用ルックアップテーブル作成処理の中で、ＣＩＥ／Ｌ* Ｃ* ｈ色空間における印刷本機Ｐｏの色域をインクジェットプリンタＰｉの色域に圧縮する色域圧縮(Gamut Compression)の手法について詳細に説明する。ここで、ＣＩＥ／Ｌ* Ｃ* ｈ色空間とは、人間の色に対する知覚である色の明るさを表す明度(lightness：Ｌ* )、色の鮮やかさを表す彩度(chroma：Ｃ* )、色の系統を表す色相(hue：ｈ）の３属性に基づいた色空間を示し、この３属性を独立した色成分（パラメータ）として取り扱うことができる。そして、以下に説明する如く、ＣＩＥ／Ｌ* Ｃ* ｈ色空間において色域圧縮(Gamut Compression) を行うのが知覚的に分かり易く、一般的に色相(ｈ)を一定にして、明度(Ｌ* )と彩度(Ｃ* )の２次元平面上で行うことが好ましい。
【００８３】
図４は、演算制御部１４における色域変換用ルックアップテーブル作成処理を示すフローチャートであり、当該フローチャートにより示される処理は、演算制御部１４内の図示しないＲＯＭ等に予め記憶されているプログラム（色域圧縮プログラムを含む。）に基づいて当該演算制御部１４の制御に基づいて実行されるものである。
【００８４】
図４に示す処理は、色域圧縮装置１のユーザが図示しない操作入力部等を操作して、印刷本機Ｐｏの色域をインクジェットプリンタＰｉの色域に圧縮する色域変換用ルックアップテーブルＬＵＴの作成が指示されることにより開始される。
【００８５】
まず、記憶部１１に記憶した色変換テーブルＴｏを参照して色彩信号Ｄｃを取得する（ステップＳ１）。
【００８６】
次に、取得したそれぞれの色彩信号Ｄｃに基づいて、色度信号としての明度（Ｌ*）及び彩度（Ｃ*）を示す第２の色度信号データとしての色度信号データＤｆを算出する（ステップＳ２）。図２（Ｃ）に示す例によれば、ｍ個の色彩信号Ｄｃからｍ個の色度信号データＤｆを算出して取得することとなる。
【００８７】
次に、記憶部１１に記憶した色変換テーブルＴｉを参照して、当該色変換テーブルＴｉに記憶された各色彩信号Ｄｃに基づいて、色度信号としての明度（Ｌ*）及び彩度（Ｃ*）の２次元平面（以下、Ｌ*−Ｃ*平面と言う。）上におけるインクジェットプリンタＰｉにて再現することが可能な色の範囲（色域）を示す第１の色域データとしての色域データＲｉを算出（取得）する（ステップＳ３）。
【００８８】
図５にステップＳ２にて取得したｍ個の印刷本機Ｐｏの色度信号データＤｆと、ステップＳ３で取得したインクジェットプリンタＰｉの色域データＲｉとを、明度（Ｌ*）及び彩度（Ｃ*）のＬ*−Ｃ*平面上にプロットしたＬ*−Ｃ*座標を示す。
【００８９】
図５において、黒丸が印刷本機Ｐｏにかかる色度信号データＤｆを示し、実線曲線がインクジェットプリンタＰｉの色域を示す色域データＲｉを示す。なお、インクジェットプリンタＰｉの色域は、それぞれの明度（Ｌ*）において、彩度（Ｃ*）が０（ゼロ）から当該色域データＲｉを示す実線曲線上の値まで、すなわち色域データＲｉを示す実線曲線とＬ*軸とで囲まれた領域となる。なお、この色域データＲｉは、色変換テーブルＴｉを参照して取得した色彩信号Ｄｃに基づいて色度信号データをそれぞれ取得し、当該色度信号データを色域の外郭が明示される程度に補間演算を行うことにより、最終的に、当該Ｌ*−Ｃ*平面上に明示された色域の外郭をインクジェットプリンタＰｉの色域を示す色域データＲｉとして使用する。
【００９０】
そして、ステップＳ２で取得したｍ個の色度信号データＤｆのうち、色域の閾値付近の彩度（Ｃ*）を有する色度信号データＤｆ、すなわち実線曲線で示す色域データＲｉの各明度（Ｌ*）において再現可能な最大彩度（Ｃ*）の８０％以上の値を有する高彩度領域に属する色度信号データＤｆを選別する（ステップＳ４）。
【００９１】
続いて、ステップＳ４にて選別された色度信号データＤｆのうち、印刷本機Ｐｏにて再現することが可能な色の範囲（色域）を示す第２の色域データとしての色域データＲｏに基づいて最外郭色度信号データＤｆ′を除く他の色度信号データＤｆを取り除く（除去）する（ステップＳ５）。なお、各明度（Ｌ*）における最も高い彩度（Ｃ*）を有する色度信号データＤｆが、色域データＲｏで示される色域の最外郭に属する最外郭色度信号データＤｆ′となる。
【００９２】
図６に示す例に拠れば、破線で示す曲線が、各明度（Ｌ*）において再現可能な最大彩度（実線曲線で示す色域データＲｉ）の８０％閾値ラインであり、白丸で示す色度信号データＤｆが、ステップＳ５にて取り除かれる高彩度領域に属する色度信号データＤｆを示す。一例として、同図に示すように、色度信号データＤｆａと色度信号データＤｆｂとを比較すると、明度Ｌ１*において最も高い彩度（Ｃ*）を含む色度信号データは、色度信号データＤｆｂであるため、当該色度信号データＤｆｂが最外郭色度信号データＤｆ′となる。同様にして、色度信号データＤｆｃと色度信号データＤｆｄとを比較すると、明度Ｌ２*において最も高い彩度（Ｃ*）を含む色度信号データは、色度信号データＤｆｄであるため、当該色度信号データＤｆｄが、最外郭色度信号データＤｆ′となる。
【００９３】
以上のように、ステップＳ５では、高彩度領域に属する色度信号データＤｆのうち、各明度（Ｌ*）における最も高い彩度（Ｃ*）を有する最外郭色度信号データＤｆ′を除く、色度信号データＤｆが全て取り除かれる。
【００９４】
続いて、インクジェットプリンタＰｉの色域外に存在する最外郭色度信号データＤｆ′を色域データＲｉで示すインクジェットプリンタＰｉの色域内にクリッピング（変換）する（ステップＳ６）（図７参照。）。この際、変換前と変換後の最外郭色度信号データＤｆ′の色差が最小となるよう変換することが望ましい。
【００９５】
また、図７に示す如く、クリッピング前は、高彩度領域に属する色度信号データはステップＳ５の処理にて除去されてほとんど存在しないため、最外郭色度信号データＤｆ′のインクジェットプリンタＰｉの色域外から色域内への変換（クリッピング）は、データ間隔を縮めるのみとなる。すなわち、図８に示す如く、ステップＳ５の処理にて印刷本機Ｐｏで再現可能な高彩度領域に属す色度信号データＤｆであって、最外郭色度信号データＤｆ′を除く、他の色度信号データＤｆ（同図において白丸で示す。）を取り除くと、残りの色度信号データＤｆ（同図において黒丸で示す。）の彩度（Ｃ*）は、図中破線で示す如くインクジェットプリンタＰｉの色域の閾値付近（高彩度領域）で滑らかな変化を示すようになる。そして、色域の閾値付近（高彩度領域）でないインクジェットプリンタＰｉの色域内部は変化させることなく全体の色域を圧縮させることができるため、色域圧縮前と色域圧縮後で高い色変換精度と高い階調再現性を実現することが可能になる。
【００９６】
次に、ステップＳ５の処理で、高彩度領域に属す色度信号データＤｆを除去してしまっているため、図８にて破線で示す高彩度領域のデータを補間にて取得すべく、クリッピング後の最外郭色度信号データＤｆ′と、ステップＳ５で除去されずに残った色度信号データＤｆと、色変換テーブルＴｉに記憶された色度信号データＤｆと、に基づいて重回帰補間による演算を行い、例えばｋステップの順方向ルックアップテーブル（ＣＭＹＫ→Ｌ*ａ*ｂ*）を作成する（ステップＳ７）。このようにして作成した順方向ルックアップテーブル（ＣＭＹＫ→Ｌ*ａ*ｂ*）は、演算制御部１４の図示しないＲＡＭ等に一時的に記憶させる。なお、ステップＳ７における補間方法は、ニューラルネットワーク等を利用した非線形補間演算によるものでもよく、また線形補間によってもよい。
【００９７】
次に、ステップＳ７で作成した順方向ルックアップテーブルのそれぞれの色彩信号Ｄｃ（Ｌ*ａ*ｂ*）に基づいて、重回帰補間演算と、墨発生演算とを組み合わせることにより、デバイス信号Ｄｄ（ＣＭＹＫ）を算出し、印刷本機ＰｏとインクジェットプリンタＰｉ間の色域変換用ルックアップテーブルＬＵＴ（ＣＭＹＫ→ＣＭＹＫ）を作成する（ステップＳ８）。
【００９８】
図９にステップＳ８にて作成された色域変換用ルックアップテーブルＬＵＴの一例を示す。なお、通常、デバイス信号Ｄｄは、上述の如くＩＳＯ１２６４２で規格化されているＩＴ８．７／３などのＣＭＹＫで現される四次元の色信号であるため、三次元の色彩信号から、この色信号ＣＭＹＫを求めようとすると、三次元の色彩信号Ｄｃに対応する複数の色信号ＣＭＹＫが存在することになる。本実施形態におけるステップＳ８では、色彩信号Ｄｃに対応する複数の色信号ＣＭＹＫのうち、当該インクジェットプリンタＰｉで再現可能な１つの色信号をデバイス信号Ｄｄとして取得するよう構成する。
【００９９】
以上説明したように、本実施形態における色域圧縮装置１によれば、印刷本機Ｐｏで再現可能な色度信号データＤｆのうち、高彩度領域に属する色度信号データＤｆであって、最外郭色度信号データＤｆ′以外の他の色度信号データＤｆを取り除き、最外郭色度信号データＤｆ′をインクジェットプリンタＰｉの色域内に収まるようクリッピング（変換）し、クリッピング（変換）後の最外郭色度信号データと、除去されずに残った色度信号データＤｆと、インクジェットプリンタＰｉでカラーテーブルを印刷（出力）して取得した色度信号データＤｆと、に基づいて、色域変換用ルックアップテーブルＬＵＴを作成したので、色域の閾値付近（高彩度領域）では滑らかに変化し、そして、インクジェットプリンタＰｉの色域内部は、カラーチャートを印刷して測定した値をそのまま使用して全体の色域を圧縮させることができるため、色域圧縮前と色域圧縮後で高い色変換精度と高い階調再現性を実現することが可能になる。
【０１００】
なお、ステップＳ６における最外郭色度信号データＤｆ′のインクジェットプリンタＰｉの色域内へのクリッピングの際に、明度（Ｌ*）や彩度（Ｃ*）、或いは色相（Ｈ）等の特定の色成分を維持しつつ、若しくは特定の色成分について重み付けをして、移動前の最外郭色度信号データＤｆ′と移動後の最外郭色度信号データＤｆ′の色差ΔＥが最小となるようにクリッピングして、色域を圧縮してもよい。例えば、人間の視覚に大きく影響を及ぼす色相（Ｈ）は維持しつつ、明度（Ｌ*）の変位と彩度（Ｃ*）の変位の比率を３対１とするなど、人間の視覚に比較的大きな影響を及ぼす明度（Ｌ*）をできるだけ維持するよう重み付けをして圧縮するよう構成する。図１０に明度（Ｌ*）に重み付けをして最外郭色度信号データＤｆ′をクリッピングした場合の一例を示す。このように構成することにより、人間の視覚への影響を最小限に抑えることが可能となる。
【０１０１】
また、ステップＳ４において、高彩度領域をインクジェットプリンタＰｉの色域データＲｉの彩度（Ｃ*）の８０％以上としたが、これに限らず、例えば図１１に示す如く、インクジェットプリンタＰｉの色域の最小明度であるＬ* (low_i)と、印刷本機Ｐｏの色域の最小明度であるＬ* (low_o)との差ΔＬ*、及び／又はインクジェットプリンタＰｉの色域の最大明度であるＬ* (Hi_i)と、印刷本機Ｐｏの色域の最大明度であるＬ* (Hi_o)との差ΔＬ*が、所定の値以上である場合には、インクジェットプリンタＰｉの色域データＲｉとの色差ΔＥａが所定値以上となる彩度（Ｃ*）を有する範囲を高彩度領域として用いることが望ましい。
【０１０２】
より具体的には、インクジェットプリンタＰｉの色域データＲｉとの色差ΔＥａが所定値以上（例えば、ΔＥａが５以上）となる彩度（Ｃ*）を有する範囲、すなわち図１１において鎖線曲線で示す色差限界ラインからインクジェットプリンタＰｉの色域データＲｉまでを高彩度領域として構成する。なお、所定値の一例として色差ΔＥａが５としたのは、色差に５程度の違いが発生すると、人間の視覚に確実に影響するためである。なお、印刷本機Ｐｏの色域は、それぞれの明度（Ｌ*）において、彩度（Ｃ*）が０（ゼロ）から色域データＲｏを示す一点鎖線曲線上の値まで、すなわち色域データＲｏを示す一点鎖線曲線とＬ*軸とで囲まれた領域となる。なお、この色域データＲｏは、インクジェットプリンタＰｉの色域データＲｉと同様に、色変換テーブルＴｏを参照して取得したｍ個の色度信号データＤｆを色域の外郭が明示される程度に補間演算を行うことにより、最終的に、当該Ｌ*−Ｃ*平面上に明示された色域の外郭を色域データＲｏとして使用する。
【０１０３】
さらに、上述した実施の形態においては、記憶部１１に記憶させた規定のカラーチャートを出力して行なうことにより、インクジェットプリンタＰｉにて再現可能な色彩信号Ｄｃ（図２（Ｃ）に示す色変換テーブルＴｉ）に基づいてインクジェットプリンタＰｉに係る色度信号データＤｆを取得し、印刷本機Ｐｏにて再現可能な色彩信号Ｄｃ（図２（Ｃ）に示す色変換テーブルＴｏ）に基づいて印刷本機Ｐｏに係る色度信号データＤｆを取得したが、色変換テーブルＴｏ及び色変換テーブルＴｉが、予め高彩度領域の色度信号データＤｆが取得できない色彩信号Ｄｃを有する色変換テーブルＴｏ及び色変換テーブルＴｉであってもよい。
【０１０４】
すなわち、図１２に示す如く、Ｃ（シアン）、Ｍ（マゼンタ）、Ｙ（イエロー）の各色４ステップ（０％、２０％、４０％、６０％、１００％）と、Ｋ（ブラック）の５ステップ（０％、２５％、５０％、７５％、１００％）の組み合わせとなる色域圧縮用カラーチャートを第２の印刷装置としての印刷本機Ｐｏ及び第１の印刷装置としてのインクジェットプリンタＰｉにて出力する。このように、予め高彩度領域であるＣ（シアン）、Ｍ（マゼンタ）、Ｙ（イエロー）の「８０％」のステップを有しないカラーチャートを使用することにより、上述した色域変換用ルックアップテーブル作成処理におけるステップＳ４及びステップＳ５の処理が不要になる。なお、この場合、Ｃ（シアン）、Ｍ（マゼンタ）、Ｙ（イエロー）の「１００％」のステップを測色して取得した色彩信号Ｄｃに基づいて得た色度信号データＤｆが最外郭色度信号データＤｆ′となる。
【０１０５】
また、上記実施形態においては、色彩信号として、国際照明委員会（ＣＩＥ）が定めた１９７６ＣＩＥＬａｂ空間における座標値を用いたが、これに限らず、他の色空間における座標値、例えばＣＩＥＸＹＺ空間における座標値や、ＲＧＢ空間における座標値であってもよい。
【図面の簡単な説明】
【０１０６】
【図１】本実施形態にかかる色域圧縮装置の概要構成例を示すブロック図である。
【図２】本実施形態にかかる色域圧縮処理の説明図である。
【図３】色域変換の概念的説明図である。
【図４】演算制御部１４における色域変換用ルックアップテーブル作成処理を示すフローチャートである。
【図５】印刷本機Ｐｏの色度信号データＤｆとインクジェットプリンタＰｉの色域データＲｉをプロットしたＬ*−Ｃ*座標である。
【図６】印刷本機Ｐｏの色度信号データＤｆとインクジェットプリンタＰｉの色域データＲｉをプロットしたＬ*−Ｃ*座標中における高彩度領域及び最外郭色度信号データＤｆ′の説明図である。
【図７】インクジェットプリンタＰｉの色域内への最外郭色度信号データＤｆ′のクリッピングの説明図である。
【図８】補間前と補間後の高彩度領域に属す色度信号データＤｆの説明図である。
【図９】作成された色域変換用ルックアップテーブルＬＵＴの一例である。
【図１０】重み付けをした場合のインクジェットプリンタＰｉの色域内への最外郭色度信号データＤｆ′のクリッピングの一例である。
【図１１】高彩度領域についての他の決定手法を示す説明図である。
【図１２】色域圧縮用カラーチャートの説明図である。
【符号の説明】
【０１０７】
１  色域圧縮装置
１１  記憶部
１２  表示部
１３  外部機器接続部
１４  演算制御部
１５  バス
Ｐｏ  印刷本機
Ｐｉ  インクジェットプリンタ
Ｘ    分光測色器
Ｔｉ、Ｔｏ  色変換テーブル
Ｌ*  明度
Ｃ*  彩度
Ｈ  色相
Ｃ  シアン
Ｍ  マゼンタ
Ｙ  イエロー
Ｋ  ブラック
Ｄｄ  デバイス信号
Ｄｃ  色彩信号
Ｄｆ  色度信号データ
Ｄｆ′最外郭色度信号データ
Ｒｉ  インクジェットプリンタＰｉの色域データ
Ｒｏ  印刷本機Ｐｏの色域データ
ΔＥａ  色差
【図１】
2006191497.tif 000003
【図２】
2006191497.tif 000004
【図３】
2006191497.tif 000005
【図４】
2006191497.tif 000006
【図５】
2006191497.tif 000007
【図６】
2006191497.tif 000008
【図７】
2006191497.tif 000009
【図８】
2006191497.tif 000010
【図９】
2006191497.tif 000011
【図１０】
2006191497.tif 000012
【図１１】
2006191497.tif 000013
【図１２】
2006191497.tif 000014